(57)【要約】      （修正有）【課題】衛生マスク使用時に上下にずれる現象を防止する。【解決手段】衛生マスクを耳掛け部、鼻口覆い部、下顎覆い部の三部から成り、下顎は下顎下端縁を先端とし左右及び前面に凹部を有する楔形状と捉えて、マスク本体に表裏貫通する切り目１０Ａ、１０Ｂ、１０Ｃを施し、又は溶融固化部又は可塑性保形材等又は摩擦抵抗材等を設け、又は下側プリーツの一部を開閉不可等に固定し、又は左右耳掛け部を二股等にして、耳掛け部からの張力をマスク上辺７とマスク左右側辺８、又は下顎凹部当接部位とマスク下辺９、又は下顎凹部当接部位、又はマスク下辺９に、効率良く分配、又は誘導、又は加圧、又は分散分割し、又は摩擦力を発生させ、顔面への固定力を高める方法。又は下顎凹部当接部位を下顎凹部に加圧固定する方法。又は下顎覆い部が下顎を挟み込み又は摩擦力で下顎に固定する方法。上記方法及び手段で使用時に上下方向にずれ無い衛生マスク。【選択図】図２
2013233400.tif 000002
【特許請求の範囲】
【請求項１】
衛生マスクを頬及び鼻口を覆う鼻口覆い部と、下顎を覆う下顎覆い部と、耳に掛け廻す耳掛け部の三部から構成され、下顎は下顎下端縁を先端とし左右及び前面に凹部を有する楔形状と捉える。マスク本体の肌当接面に摩擦抵抗材等（ゴム等）の薄膜等を貼着又は塗布する。マスク本体と耳掛け部左右上側又は左右下側の間にＶ字形状等の分配用片（不織布等又は保形材等）を介設し、該分配用片の鋭角部位に耳掛け部端を夫々接合し、又は耳掛け部の上側又は下側を二股にして、又は耳掛け部を左右夫々二本併設し、該分配用片又は該二股又は該二本の左右上側の一端をマスク上辺端付近に、他端をマスク左右側辺の上部付近に、又は該分配用片又は該二股又は該二本の左右下側の一端を下顎凹部当接部位側端付近に、他端をマスク下辺側端付近に接合する。又はマスク本体の四隅又は左右側辺の耳掛け部接合部付近に、分配部（マスク本体を表裏貫通する切り目等、又は溶融固化部、又は線状等の可塑性保形材等）を設ける。又は該張力作用線上又は其の付近に、上記分配部又は、誘導部（上記切り目等、又は溶融固化部、又は線状等の可塑性保形材等）又は、誘導加圧部（溶融固化部、又は帯状等の可塑性保形材等、又は既存の下顎凹部に最寄り位置のプリーツを一部分又は全部分を重層状態又は開閉不可に固定する。又は下顎凹部当接部位に帯状等の重層部等を横設する。又はマスク本体内側に下顎凹部及び其の付近に当接し加圧し得る、拡張性又は伸縮性を有する不織布帯等）を設ける。又は下顎覆い部を横方向に折り返してポケット状にし、又は下顎覆い部に横方向のプリーツ（襞）を設け、夫々の該側端付近で溶着固定又は粘着テープ等で貼着する。又は下顎下端縁当接部位及び其の付近に下顎下端及び其の付近を包含し得る、分散分割部（上記切り目等）を設ける。又は拡張性又は伸縮性の不織布等を用いる。又は型押し加工等を施す。又は袋状等の不織布等を設ける。上記は摩擦抵抗材等で下顎覆い部を下顎に摩擦固定する方法。左右耳掛け部の上側又は下側接合部から放射状又は一線状に作用する張力を、マスク本体の目的部位に分配又は誘導又は分割する方法。又は分散分割する方法。又は分配又は分割又は誘導された張力で、鼻口覆い部の顔面への密着性及び固定力を高める方法。又は下顎凹部当接部位及び其の付近とマスク下辺で下顎を挟み込み下顎に固定する方法。又は下顎凹部当接部位を下顎の凹部及び其の付近に加圧させて下顎に固定する方法。下顎下端縁及び其の付近に伸縮性を与えて下顎に固定する方法。上記各方法又は、上記方法の組み合わせ又は、上記各方法の部分的入れ替え又は、部分的設置に依って下顎覆い部を下顎に固定する方法。マスク本体は鼻口覆い部と下顎に固定された下顎覆い部が一体構成されて居る為、マスク本体が顔面に固定される事を特徴とする衛生マスク本体のずれ防止方法及び手段。
【請求項２】
マスク装着時の耳掛け部上側又は下側の接合部付近又は該接合部からの張力作用線上又は其の付近、又は下顎下端縁当接部位及び其の付近に、マスク本体を表裏貫通する切り目等を一ヶ所以上左右対称に設け、該切り目等が該張力作用線を分断して、該張力を目的部位に分配又は誘導又は分散又は分割し、鼻口覆い部の顔面への密着性及び固定力を高める方法。又は下顎覆い部を下顎に固定する方法。此れに依ってマスク本体が顔面に固定される事を特徴とする、請求項１記載の衛生マスク本体のずれ防止方法及び手段。
【請求項３】
帯状等又は線状等の、溶融固化部又は保形材又は可塑性保形材等を、左右耳掛け部の上側接合部又は其の付近から、マスク上辺とマスク左右側辺に沿って設ける。又は耳掛け部下側接合部又は其の付近から、下顎凹部当接部位方向とマスク下辺方向の二方向、又は下顎凹部当接部位、又はマスク下辺方向又は該下辺に沿って設ける。又は既設の下顎凹部に最寄り位置のプリーツを一部分又は全部分を重層状態又は開閉不可に固定、又は下顎凹部当接部位に帯状等の重層部等を設ける。又はマスク本体内側に下顎凹部及び其の付近を加圧し得る、拡張性又は伸縮性を有する不織布等を横設する。又は可塑性保形材等のＩ字形状片又はＴ字形状片又はＵ字形状片又はくの字形状片を、マスク装着当初の状態に於いて、Ｕ字形状片又は、くの字形状片の開口部を内向きにして、Ｉ字形状片又は、Ｔ字形状片又は、Ｕ字形状片の円孤部位又は、くの字形状片の鋭角部位が下顎下端縁を跨ぎ、Ｉ字形状片又はＴ字形状片の上部を下顎凹部当接部位及び其の付近に、下部をマスク下辺付近に、又はＵ字又はくの字形状片の開口部位の左右上側を下顎凹部当接部位に、Ｕ字又はくの字形状片の開口部位の左右下側をマスク下辺付近に、配置して固定又は粘着剤等で貼着する。又はＵ字形状片又はくの字形状片のマスク下辺側を繋げた扁形楕円状片にして又は、くの字形状片のマスク下辺に配する部位を削除したハの字形状片にして上記当接部位に固定又は貼着する。上記に依って上側の張力をマスク上辺とマスク側辺に誘導し、加圧力と摩擦力で鼻口覆い部の顔面への密着性と固定力を高める方法。又は下側の張力を誘導し下顎凹部当接部位を下顎凹部及び其の付近に加圧固定する方法。又は下顎を挟み込み下顎覆い部を下顎に固定する方法。上記に依ってマスク本体が顔面に固定される事を特徴とする、請求項１乃至２の何れかに記載の衛生マスク本体のずれ防止方法及び手段。
【請求項４】
マスク本体下顎覆い部を横方向に内側又は外側に折り返して、左右両端付近で点線状又は線状等に溶着固定又は粘着テープ等で貼着固定する。耳掛け部左右下側端を折り返しの固定部位及び其の付近に夫々接合する。上記に依って下顎覆い部を下顎に固定する方法。此れに依ってマスク本体が顔面に固定される事を特徴とする、請求項１乃至３の何れかに記載の衛生マスク本体のずれ防止方法及び手段。
【請求項５】
マスク本体下顎覆い部に、横方向の上又は下向きのプリーツ（襞）を一本以上設け、其の左右両端付近で点線状等又は線状等に溶着固定して、該プリーツ固定部位又は其の付近に耳掛け部下側左右端を夫々接合する。又は下顎凹部当接部位及び其の付近に扁平扇状等のプリーツを設ける。上記に依って下顎覆い部を下顎に固定する方法。此れに依ってマスク本体が顔面に固定される事を特徴とする、請求項１乃至３の何れかに記載の衛生マスク本体のずれ防止方法及び手段。
【請求項６】
マスク装着時のマスク本体下顎下端縁当接部位及び其の付近に、下顎下端及び其の付近を包含し得る拡張性又は凹形状等の型押し加工等を施す。又は袋状等の不織布等を設ける。又は下顎下端を包含し得る拡張性又は伸縮性を有する不織布等を、下顎下端及び其の付近又は下顎覆い部に使用し、下顎覆い部又は鼻口覆い部の下辺と該不織布等の上辺を点線状又は線状等に接合し、耳掛け部左右下側端を該不織布等の両下隅付近に接合する。上記に依って下顎覆い部を下顎に固定する方法。此れに依ってマスク本体が顔面に固定される事を特徴とする、請求項１乃至４の何れかに記載の衛生マスク本体のずれ防止方法及び手段。
【請求項７】
左右耳掛け部上側又は下側を二股にして又は、耳掛け部を左右夫々二本併設し、夫々の該耳掛け部左右上側の一端をマスク上辺左右端付近に、他端を左右のマスク側辺の上部付近に接合する。又は夫々の該耳掛け部左右下側の一端を下顎凹部当接部位側端付近に、他端をマスク下辺左右側端付近に接合する。又はＶ字形状又はＵ字形状の不織布等又は弾力性又は保形性を有する、上下左右各一対の分配用片の開口部を内向きにし、該Ｖ字形状の鋭角部位又はＵ字形状の円孤部位に耳掛け部端を夫々接合又は連結し、上側の該分配用片の開口部の一端をマスク上辺左右側端付近に、他端を左右のマスク側辺の上部付近に、下側の該分配用片の開口部の一端を下顎凹部当接部位側端付近に、他端をマスク下辺側端付近に夫々接合する。又は不織布製等幅広の耳掛け部に於いてマスク本体との上下左右の接合部又は其の付近に、上記各両側端部位に至る長さの表裏貫通する切り目等を設ける。上記に依って鼻口覆い部の密着性及び固定力を高める方法。又は下顎覆い部を下顎に固定する方法。此れに依ってマスク本体が顔面に固定される事を特徴とする、請求項１乃至６の何れかに記載の衛生マスク本体のずれ防止方法及び手段。
【請求項８】
マスク装着時の下顎又は頬当接部位等の肌面に、薄膜又は線状等の摩擦抵抗材等（ゴム等）を貼着又は塗布する。上記で鼻口覆い部の密着性及び摩擦固定力を高める方法。又は下顎覆い部を下顎に摩擦固定する方法。此れに依ってマスク本体が顔面に固定される事を特徴とする、請求項１乃至７の何れかに記載の衛生マスク本体のずれ防止方法及び手段。
【発明の詳細な説明】
【技術分野】
【０００１】本発明は、使い捨て衛生マスクの会話等や長時間使用時に、マスク本体の顔面装着位置が、上下方向にずれ無い衛生マスクに関するものである。
【背景技術】
【０００２】従来技術の不織布製プリーツ式使い捨て衛生マスク（以後、プリーツ式マスク又はマスクと記す）は、鼻口覆い部に上又は下方向のプリーツ（襞）が複数横設され、左右一対の耳掛け部の両端がマスク本体の四隅に溶着されている。使用時にマスク本体の上下端を上下方向に引くと、プリーツ部が前方に突出拡張され口元には空間が形成される。該マスク使用時に耳掛け部からの張力はマスク上辺付近と下顎下辺の当接部位に作用していて、該下顎下辺がマスク下辺を制して顔面に留まる様に構成されている。一方、不織布製立体式使い捨て衛生マスク（以後、立体式マスク又はマスクと記す）は、口元に空間が形成される様に製造されて、耳掛け部が左右一対マスク本体側辺に溶着され、張力は上後方に作用していて、マスク本体下部を下顎下辺付近に当接させ、顔面に留める様に構成されている。【０００３】上記両衛生マスクは共に研究、開発が進み顔面装着当初の密着性が向上し、防塵効果等も高く装着当初は顔面にフィットして装着感も良好である。【０００４】然し乍、上記両マスク使用中の会話等や長時間使用時に、マスク本体が上下方向にずれる事がよくある。此の現象は顔面密着性が高いマスク程顕著に現れる傾向にあり、ずれ始めるとマスク本体を装着当初の位置に戻さない限り止めど無くずれ進む。【０００５】プリーツ式マスク本体の下方へのずれ現象時には、耳掛け部のゴム紐等が伸びて張力が増し、マスク本体が左右に強く引かれ、耳や鼻梁及び鼻頭を強く圧迫し痛みや不快感を与える。又、鼻梁と頬面の隙間を防ぐ可塑性保形材を引き延ばして、該部位に隙間を発生させて防塵効果が減損する。且つプリーツ部を引き延ばして鼻口覆い部の空間が無く成り、該裏面が唇に接触して不快感を与え息苦しさをも発生させる。又、下顎下端当接部位が下顎を圧迫し会話時の顎の動きを制約して滑舌も悪くなる。喉元に纏わり着き始めると強い不快感を生み、終には鼻孔が露出する迄に至り、マスクの装着意義さえも半減する事に成る。【０００６】一方、不織布製耳掛け部を具備する立体式マスクの下方へのずれ現象時には、耳掛け部の伸縮性が低い為に、ずれ始めると耳とマスク本体の距離を半径とした円孤を描くが如く下方へずれて行き、頬当接部位と頬面に隙間が開き始め、ずれ進むに連れてマスク本体全体が次第に喉元に下がり頬部の隙間が大きく開いて行く。同時に下顎当接部位が下顎を強く圧迫し極めて強い不快感を発生させると共に、下顎の動きが制約されて滑舌が悪く成り、耳掛け部が前方に強く引かれ耳に苦痛を与える。終には、マスク下部が喉元に纏わり着き、下顎当接部位だけを残し顔面から大きく遊離して、マスク装着意義さえも無く成る。【０００７】上記の如く、マスク本体の下方ずれ現象は使用者誰もが経験する事であり、此の不都合や苦痛，不快感等を回避する為に、度々装着位置を直さなければ成らず非常に煩わしかった。【０００８】上記不都合を回避する為に、頭部等に掛け廻す長紐等や、耳掛け部の張力を強力にする等の先行技術は有るが、脱着時の煩わしさや会話に不都合が生じ又、耳に苦痛を与え且つ顔面を圧迫する等の課題が発生し、ずれ防止効果も充分とは言え無いものであった。
【発明の概要】
【発明が解決しようとする課題】
【０００９】本発明は、衛生マスク使用時に発生するマスク本体の上下方向のずれ現象を防止して、該現象に起因する苦痛や不快感、防塵効果や機能低下等を防止する衛生マスクを提供する。
【課題を解決する為の手段】
【００１０】此処で、従来技術のマスク装着時のマスクの下顎当接部位付近に注目する。下顎当接部位は下顎前面下側及び下顎下端縁に細い帯状で当接し、耳掛け部下側からの張力で上後方へ引かれマスク本体を顔面装着位置に留め、マスク下辺は喉元寄りに僅かに遊離している。
【００１１】次に、会話時の下顎前面下側の皮膚部位の変化を分析する。母音が「あ」「い」「え」の発声時は、唇は口角へと拡げられると同時に、下顎前面の筋肉が周囲に拡げられ下顎前面下側の皮膚部位は、僅かに突出し乍下顎下端縁方向に下がる。又、母音が「う」「お」の発声時には、唇が窄められ下顎前面の筋肉は下顎前面中央へ突然収縮して、該皮膚部位は瞬時に上方に引かれて平坦に成る。此の現象は唇や下顎前面筋肉の動きに連動し、発声の有無に拘わらず無意識の内に長時間使用時にも発生する。
【００１２】上記下顎皮膚部位の変化を考慮し上記細い帯状当接部位に着目してマスク本体のずれ現象を検証する。該細い帯状当接部位は、耳掛け部下側からの張力で上後方に引かれていて、口角を広げ乍下顎を下げる発音をすると、下顎と共に上記突出した皮膚部位に依って下げられ、続けて唇を窄める発音をすると、下顎が素早く上がり乍上記突出した皮膚部位が瞬時に上方に収縮して平坦に成り、一瞬張力が弱まり下顎は該細い帯状当接部位を上方に滑って、該細い帯状当接部位の元の当接位置より僅か上位置に留まる。又は下顎の素早い上下動に依って該細い帯状当接部位の張力及び摩擦力が不足して上記同様に滑る。此の繰り返しがマスク本体を恰も喉元へ手繰り寄せるが如く、下方ずれ現象を起こす原因で有る事を見出した。
【００１３】又、張力の起点から頬下部及び下顎骨の形状を観察すると、下顎は下顎下端縁を先端とした左右及び前面に凹部を有する楔形状と見做す事が出来る。
【００１４】上記を考慮して、耳掛け部からの既存の張力を効率良く目的部位に作用させ、固定効果が得られ且つ従来技術に応用可能で有る事を念頭に多種多様の実験の結果、上記細い帯状当接部位を下顎下端縁付近に加圧摩擦固定させる。又はマスク本体の耳掛け部上側接合部又は該下側接合部又は其の付近、又は下顎下端縁及び其の付近、又は該張力作用線上で、該張力を分配又は誘導又は分散又は分割して目的部位で加圧力に変換し、又は加圧力を摩擦力に変換する方法。又は鼻口覆い部の顔面への固定力を高める方法。又は下顎凹部当接部位を下顎凹部に加圧し下顎に固定する方法。又は下顎凹部当接部位とマスク下辺で下顎を挟み込み下顎に固定する方法。又は上記各方法の併設、又は上記各方法の部分的入れ替え又は部分的設定に依って、マスクが顔面に密着固定を維持する方法及び手段を見出した。
【００１５】上記は、下顎当接部位の肌当接面に摩擦抵抗材等（ゴム等）の薄膜等を設ける。又は左右耳掛け部上側又は下側を二股にする。又は耳掛け部を左右夫々二本併設する。又は下顎覆い部にプリーツ部を横設する。又は下顎凹部当接部位に誘導加圧部を設ける。又はマスク本体内側に下顎凹部を加圧し得る帯状等の不織布等を横設する。又は既存のプリーツの一部分又は全部分を開閉不可等に固定する。又は下顎凹部当接部位に重層部等を横設する。又は下顎覆い部を横方向に折り返す。又は耳掛け部上側又は下側の接合部又は其の付近又は該張力の作用線上に、該張力の分配部又は誘導部又は誘導加圧部を設ける。又はマスク本体と耳掛け部の間に分配用片を介設する。下顎下端縁当接部位及び其の付近に、分配部又は誘導部又は分散分割部を設ける。又は拡張性又は伸縮性の不織布等を用いる、又は下顎下端及び其の付近を包含し得る型押し加工等を施す。又は袋状等の不織布等を設ける。
【発明の効果】
【００１６】本発明は、次の様な多種多様な課題が解決可能と成る。（１）マスク本体の上下方向のずれ現象を防止して、（２）マスク装着当初の防塵効果等が維持される。（３）装着位置を直す煩わしさから解放される。（４）鼻口覆い部の密着性及び固定力が高まる。（５）鼻口覆い部と頬面の隙間が出来難くなる。（６）下顎下辺当接部位が下顎を圧迫する不快感が軽減出来る。（７）下顎の動きが制約されず、会話が楽に出来、且つ滑舌も良く成る。依って（８）会話が聞き取り易く成る。プリーツ部が開き切る事が無いので、（９）鼻口覆い部の空間が保持され楽な呼吸が維持される。（１０）該覆い部の歪みや潰れで肌面が唇に触れる不快を解消出来る。保形維持されたプリーツ部が下顎の上下動を吸収し、（１１）マスク上辺が頬面を上下摩擦する不快感を極端に軽減出来る。張力変動が殆ど無いので、（１２）鼻梁当接部位が鼻梁を圧迫する不快感を極端に軽減出来る。鼻梁と頬面の隙間を塞ぐ可塑性保形材が伸び無いので、（１３）マスク上辺の密閉性が維持出来る。下顎覆い部が下顎に常時密着固定している為に、（１４）マスク下辺の完全な密着性が確保維持出来る。耳掛け部の張力を効率良く目的部位に分配、分割、誘導する為に（１５）穏やかな張力でマスク本体を顔面に密着固定出来る、（１６）耳掛け部に依る耳後部の圧迫感が軽減出来る、其の為に（１７）就寝時の使用にも装着違和感が少ない、（１８）就寝時の寝返り等にもマスクが装着位置からずれ無い。依って（１９）昼夜問わず使用可能である。（２０）頭部及び首に掛け廻す長い紐等を備えたマスクに於いては其れを不要とする、其の為（２１）マスクの脱着が容易に手早く出来る。（２２）長紐等が不要な為に製造コストを軽減出来る。本発明は従来技術に僅かな加工等を付すだけで前記効果が得られる為に、（２３）開発や設備及び製造コストの負担が抑えられて（２４）安価に販売提供が可能である。等々、マスク本体のずれ現象に起因する多種多様な不都合及び苦痛、不快感等を一掃する事が可能である。
【発明を実施する為の形態】
【００１７】本発明は、鼻口及び下顎覆い部から成るマスク本体の、四隅又は左右側端に耳掛け部を設けたプリーツ式及び立体式両衛生マスクに於いて、使用時に耳掛け部上側接合部からマスク上辺及びマスク左右側辺に掛けて放射状に作用する張力を、マスク上辺とマスク左右側辺に分配又は誘導して該三辺に集約し、該張力の加圧作用の向上に依って摩擦力を発生させて、鼻口覆い部の顔面への密着性及び固定力を高める。又はマスク本体の耳掛け部下側接合部から下顎下部の帯状当接部位へ一線状に作用する張力を、加圧力と捉えて下顎覆い部を下顎に摩擦固定する。又はマスク下顎凹部当接部位及び其の付近とマスク下辺付近の二部位に、張力を分配又は誘導又は分散又は分割して該二部位を下顎に固定する。又はマスク下辺に分配された張力との複合作用で、該辺を下顎下端縁裏側に固定する。又は下顎下端縁を跨いで分配部又は誘導部又は誘導加圧部を設け該二部位で下顎を挟み込み固定する。又は下顎凹部当接部位に誘導加圧部を設け下顎凹部及び其の付近に加圧密着固定する。
【００１８】方法及び手段として、耳掛け部上側又は下側接合部又は其の付近又は、該張力の作用線上に、分配部（マスク本体を表裏貫通する切り目又は穴、又は溶融固化部、又は線状等の可塑性保形材等）、又は誘導部（マスク本体を表裏貫通する切り目又は穴、又は溶融固化部、又は線状等の可塑性保形材等）を設ける。又は耳掛け部とマスク本体の間に分配用片（不織布等又は保形材又は可塑性保形材等）を介設する。又は耳掛け部上側又は下側又は上下側を二股にする又は、耳掛け部を左右夫々二本併設する。又は下顎下端及び其の付近を収容し得る、分散分割部（マスク本体を表裏貫通する切り目又は穴）を設ける。又は型押し加工等を施す。又は袋状等の不織布等を設ける。又は拡張性又は伸縮性等の不織布等を用いる。又は下顎凹部当接部位及び其の付近に誘導加圧部（溶融固化部又は、線状等の可塑性保形材等、又は既存のプリーツの一部分又は全部分を開閉不可等に固定、又は帯状等の重層部等を横設する）を設ける。又はマスク本体内側に拡張性又は伸縮性等を有する不織布帯等を横設する。又は下顎覆い部にプリーツ（襞）を横設する。又は下顎覆い部を横方向に折り返す。又は肌当接面に摩擦抵抗材等（ゴム等）の薄膜等を貼着又は塗布する。
【００１９】マスク本体は、上記に依って固定力を高めた鼻口覆い部と、下顎に固定された下顎覆い部が一体構成されている為に、結果、顔面に固定された事に成り、上下にずれ無い衛生マスクを提供する方法及び手段。
【００２０】請求項１は、耳掛け部からの張力を効率良く目的部位に作用させて固定効果を得る、マスク本体の上下方向ずれ防止方法及び手段の根本概念であり、本概念を反映すれば請求項２乃至８以外の形態でも実施可能である。以下請求項順に実施例を記すが実施を限定するものでは無い。又、従来技術に簡単な加工又は簡単な部品を設けるだけでずれ防止効果を得る。下記の各方法の併設又は各方法の部分的入れ替え又は部分的設置も任意可能である。
【図面の簡単な説明】
【図１】本発明の定義する下顎各部位を示す（イ）正面  （ロ）側面の摸式図
【図２】請求項２の（イ）プリーツ式マスク  （ロ）立体式マスクの正面の摸式図
【図３】請求項２の（イ）プリーツ式マスク  （ロ）立体式マスクの使用時の透視摸式図
【図４】請求項３の（イ１）１１Ａのプリーツ式マスク  （イ２）１２Ａのプリーツ式マスク  （イ３）１２Ｂのプリーツ式マスク  （イ４）２０Ｃのプリーツ式マスク  （イ５）１２Ｃのプリーツ式マスク  （ロ）１５Ｂの立体式マスクの正面の摸式図
【図５】請求項３の（イ１）１１Ａのプリーツ式マスク  （イ２）１２Ａのプリーツ式マスク  （イ３）１２Ｂのプリーツ式マスク  （イ４）２０Ｃのプリーツ式マスク  （イ５）１２Ｃのプリーツ式マスク  （ロ）１５Ｂの立体式マスクの使用時の透視摸式図
【図６】請求項４の（イ）プリーツ式マスク  （ロ）立体式マスクの正面の摸式図
【図７】請求項４の（イ）プリーツ式マスク  （ロ）立体式マスクの使用時の透視摸式図
【図８】請求項５の（イ）プリーツ式マスク  （ロ）立体式マスクの正面の摸式図
【図９】請求項５の（イ）プリーツ式マスク  （ロ）立体式マスクの使用時の透視摸式図
【図１０】請求項６の（イ１）１５Ａのプリーツ式マスク  （イ２）１５Ｂのプリーツ式マスク  （ロ１）１５Ａの立体式マスク  （ロ２）１５Ｂの立体式マスクの正面の摸式図
【図１１】請求項６の（イ１）１５Ａのプリーツ式マスク  （イ２）１５Ｂのプリーツ式マスク  （ロ１）１５Ａの立体式マスク  （ロ２）１５Ｂの立体式マスクの使用時の透視摸式図
【図１２】請求項７の（イ１）１８のプリーツ式マスク  （イ２）１７Ａのプリーツ式マスク  （ロ１）１７Ａの立体式マスク  （ロ２）１０Ａの立体式マスクの正面の摸式図
【図１３】請求項７の（イ１）１８のプリーツ式マスク  （イ２）１７Ａのプリーツ式マスク  （ロ１）１７Ａの立体式マスク  （ロ２）１０Ａの立体式マスクの使用時の透視摸式図
【図１４】請求項８の（イ）プリーツ式マスク  （ロ）立体式マスクの正面の摸式図
【図１５】請求項８の（イ）プリーツ式マスク  （ロ）立体式マスクの使用時の透視摸式図
【実施例１】
【００２１】請求項１は衛生マスクを頬及び鼻口を覆う鼻口覆い部と、下顎（下顎骨部分）を覆う下顎覆い部と、耳に掛け廻しマスク本体を顔面に装着する耳掛け部の三部から構成され、下顎は頬下部及び下顎骨の形状を張力の起点から観て、下顎下端縁を先端とし左右及び前面に凹部を有する楔形状と捉え、下顎下端当接部位を下顎に摩擦固定する。又は下顎覆い部を下顎凹部及び其の付近に加圧固定する。又はマスク下辺を下顎下端縁裏側に加圧固定する。又は下顎凹部当接部位及びマスク下辺で下顎を挟み込み下顎覆い部を下顎に固定する事を主要素とし、鼻口覆い部の顔面への固定力を高める事を副要素とし、マスク本体を顔面に密着固定する方法及び手段であり本発明の根本概念である。尚、副要素は省略可能である。【００２２】本発明では、マスク本体の下顎下端６当接部位の肌面に薄膜等の摩擦抵抗材等（ゴム等）１９を貼着又は塗布し、張力に依る加圧力で摩擦力を発生させ該部位を下顎１に摩擦密着固定させる方法（請求項８）。又は耳掛け部の上側又は下側又は上下側を二股１７Ａ又は１７Ｂにして又は左右夫々二本併設して、上側の一端をマスク上辺７端付近に、他端を左右マスク側辺８上部付近に接合し、該下側の一端を下顎凹部３当接部位端付近に、他端をマスク下辺９端付近に夫々接合する。又は不織布製幅広耳掛け部の張力を上記各部位に分配し得る前記切り目の分配部１０Ａを左右上下に設ける（請求項７）。又は耳掛け部上側接合部又は其の付近から誘導部１１をマスク上辺７と左右マスク側辺８に沿って設ける。該下側接合部又は其の付近から誘導加圧部２０Ａ又は、可塑性保形材等の１２Ｃを下顎凹部３当接部位に設け、マスク下辺９及び其の付近に誘導部１１を設ける。又は既設された下顎凹部に最寄り位置のプリーツ２１を一部分又は全部分が重層状態又は開閉不可等にする固定部２０Ｃを施す。又は下顎凹部当接部位に線状等の重層部等を横設する。又は下顎覆い部の内側に下顎凹部３及び其の付近を加圧し得る、帯状等の拡張性又は伸縮性等を有する不織布等１５Ｂを横設する（請求項３）。又はマスク下顎覆い部を、内側又は外側に横方向へ折り返し１３を設け、該１３の側端付近で固定し耳掛け部下側端を該固定部位及び其の付近に接合する（請求項４）。又は下顎覆い部にプリーツ１４を横設し該１４の側端付近で固定し、耳掛け部下側端を該固定部位及び其の付近に接合する（請求項５）。又は耳掛け部上側又は下側の接合部又は其の付近、又は該張力作用線上又は其の付近、又は下顎下端縁４当接部位及び其の付近に、該張力の分配部１０Ａ又は誘導部１０Ｂ又は１１を設け、又は可塑性保形材等の１２Ａ又は１２Ｂ又は誘導加圧部の２０Ａを設ける。又は上側又は下側の耳掛け部とマスク本体に分配用片１８を介設する（請求項２又は３又は７）。又は下顎下端縁４当接部位及び其の付近に、下顎下端６及び其の付近を包含し得る型押し加工等１５Ａを施す。又は拡張性又は伸縮性の不織布等１５Ｂを用いる（請求項６）、又は分散分割部１０Ｃを設ける（請求項２）。上記は、該耳掛け部から放射状又は一線状に作用する張力を、マスク上辺７と左右マスク側辺８、又は下顎凹部３当接部位とマスク下辺９付近に分配又は誘導する方法。又は分配又は誘導された張力が、マスク上辺７及び左右のマスク側辺８を強く引き、鼻口覆い部を顔面に加圧し密着性及び固定力を高める方法。又は分配又は誘導又は分割された張力で下顎凹部３当接部位とマスク下辺９又は、可塑性保形材等１２Ａ又は１２Ｂが下顎１を挟み込んで下顎１に固定する方法。又は下顎下端縁４当接部位及び其の付近に伸縮性等を与え下顎１に固定する方法。又はマスク下辺９付近が下顎下端縁裏側５に加圧固定する方法。又は下顎凹部３当接部位及び其の付近が、下顎凹部３及び其の付近に加圧すると共に当接面積を増やし下顎凹部３に留まり、下顎覆い部を下顎１に密着固定する方法。二分配された張力は元の一線状に復帰する作用が、マスク上辺７及び左右マスク側辺８、又は下顎凹部３当接部位及びマスク下辺９、又は下顎凹部３当接部位、又はマスク下辺９の加圧力を増し、鼻口覆い部又は下顎覆い部の固定力を補強する方法。【００２３】上記耳掛け部の二股（１７Ａ、１７Ｂ）又は該部を左右夫々二本併設、又は耳掛け部接合部又は其の付近の分配部（マスク本体を表裏貫通する切り目１０Ａ）又は分配用片１８は、耳掛け部上側の張力をマスク上辺７と左右マスク側辺８、又は耳掛け部下側の張力を下顎凹部３当接部位及び其の付近とマスク下辺９及び其の付近に分配する方法及び手段。【００２４】上記誘導部（マスク本体を表裏貫通する切り目１０Ｂ又は、誘導部１１）は、張力作用線上又は其の付近に設けて、放射状又は一線状に作用する張力を、該切り目１０Ｂの両端又は両辺又は一端又は一辺に該作用線を強制変更させ、又は周囲よりも硬質で有る為張力の影響を受け易い、誘導部１１で周囲の張力を集約し方向性を与えて、マスク上辺７と左右のマスク側辺８の加圧力を増し、顔面の密着性及び固定力を高める方法及び手段。又は下顎凹部３当接部位又は下顎凹部３当接部位とマスク下辺９に張力を誘導する方法及び手段。【００２５】上記誘導加圧部（ハノ字形状片１２Ｃ、又は溶融固化部又は帯状又は線状等の可塑性保形材等２０Ａ、又は下顎凹部に最寄り位置のプリーツの一部分又は全部分を開閉不可等にする固定部２０Ｃ）は、耳掛け部下側左右接合部又は其の付近又は、張力の作用範囲から下顎凹部３又は其の付近に位置する。従来技術では該下側左右接合部から引き合う張力は、下顎下端縁４に沿って大きく迂回して作用している。張力は最短距離を直進する性質が有る為、該各誘導加圧部は最短距離に近く設けられ且つ周囲よりも硬質で、張力の影響を受け易い為に周囲の張力を集約して、先ず下顎凹部３の左右端付近に加圧当接し、其れを手掛かりに該張力は該各誘導加圧部に作用線を移し、左右の耳掛け部下側の接合部を結ぶ事に成る。結果、該各誘導加圧部が下顎凹部３及び其の付近に加圧し引っ掛かり、摩擦力を得て該凹部３に固定する。上記の如く、下顎覆い部に設けた硬質部で張力の作用線を下顎凹部３当接部位に誘導して、下顎覆い部を下顎凹部３に加圧摩擦固定する方法及び手段。【００２６】上記分散分割部１０Ｃ、折り返し（ポケット部）１３、プリーツ部１４、型押し加工等１５Ａ、拡張性又は伸縮性の不織布等１５Ｂは、耳掛け部下側の張力作用線上に在る該各部に下顎下端６及び其の付近を収容する事で、張力が下顎凹部３当接部位及び其の付近とマスク下辺９及び其の付近に分割されて下顎１を包含し挟み込む。分割された張力が下顎凹部３当接部位及び其の付近で下顎凹部３及び其の付近を加圧し、摩擦力を得て加圧密着固定する方法。マスク下辺９は強く引かれ下顎下端縁裏側５に固定又は密着固定させる方法。此れに依り下顎覆い部を下顎１に加圧密着固定する方法及び手段。【００２７】上記薄膜等の摩擦抵抗材等（ゴム等）１９は、耳掛け部接合部からの張力の顔面への加圧力を摩擦力に変換し滑りを防止する。鼻口覆い部の肌面に設けて摩擦固定する方法及び手段。又は下顎１当接部位の肌面に設けて下顎覆い部を下顎１に固定する方法及び手段。【００２８】上記可塑性保形材等の１２Ａ及び１２Ｂは、下顎下端縁４を跨いで下顎凹部３当接部位とマスク下辺９で下顎１を挟み込み、下顎覆い部を下顎１に固定する方法及び手段。【００２９】尚、上記マスク本体を表裏貫通する切り目１０は、耳掛け部からの張力作用線上又は其の付近又は下顎下端縁４及び其の付近に設ける。張力を横切って設けると、該張力作用線が該切り目１０に依って分断され、行き場を失った張力は該切り目１０の該張力作用側の辺に沿って作用線が変更され、該切り目１０の一端又は両端から張力を伝え得る方向に作用線を描く。張力と平行に設けると、張力は該切り目１０の上下辺に分割する。該切り目１０の長さ、本数、設定位置及び該角度に依り、張力作用線を自在に任意の部位に分配又は誘導する方法。又、下顎下端縁４を跨ぐ該切り目１０は、下顎下端縁４が該切り目１０を拡張して張力を該切り目１０の上下端に分割させる方法。下顎下端縁４に該切り目１０を複数本隣接並列に設ける（該切り目１０Ｃ）と、下顎下端６及び其の付近が該切り目１０部位に包含され、下顎１及び下顎下端６の皮膚部位の動きに敏感に拡張、伸縮して張力を分散消滅させる方法。又は張力を上下端に分割平行移行し、下顎下端６及び其の付近を挟み込み下顎１に固定する方法。又は該伸縮作用を利用して下顎下端６当接部位及び其の付近の加圧力を緩和する方法。又は該作用で下顎覆い部を下顎１に固定する方法。又は下顎下端縁４当接部位及び其の付近に、伸縮性を与えて下顎１に固定する方法及び手段と成る。【００３０】マスク本体は、上記各方法に依って下顎に固定された下顎覆い部と鼻口覆い部が一体構成されている為、マスク本体が顔面に固定された事に成り、会話等や長時間使用時にも上下方向にずれ無い衛生マスクを提供する方法及び手段である。【００３１】本発明は上記の如く、数種類の手段を設定位置及び角度、形状、大きさ、長さ、硬度、太さ等に変化を持たせて主たる作用及び効果を異ならせる事を大きな特徴としている。上記各方法で下顎１への固定が完結する。上記各方法の併設や部分的入れ替え等も有効である。
【実施例２】
【００３２】請求項２に於いては（図２）、上側耳掛け部接合部付近に張力作用線を分断し得るマスク本体を表裏貫通する切り目１０Ａを３ｍｍ乃至２０ｍｍ程度の長さで、マスク上辺７から２ｍｍ乃至７ｍｍ程度の下位置を上端とし、マスク側辺８から３ｍｍ乃至２０ｍｍ程度の側位置を下端として斜線状に左右対称に設ける。耳掛け部下側接合部付近及び張力作用線上に縦方向の該切り目１０Ａを、下顎凹部３付近を上端として、マスク下辺９縁より２ｍｍ乃至２０ｍｍ程度の上位置を下端とし、縦方向に一本以上左右対称に設ける。又は張力作用線上に横方向又は縦方向に長さ５ｍｍ乃至５０ｍｍ程度の該切り目１０Ｂを一本以上左右対称に設ける。又は下顎下端縁４を跨ぐ長さ５ｍｍ乃至８０ｍｍ程度で、該切り目を左右対称並列に複数本２ｍｍ乃至５０ｍｍ程度の間隔に施した該切り目１０Ｃを設ける。【００３３】マスク使用時（図３）、マスク本体の耳掛け部上側接合部付近に設けた分配部１０Ａ、又は該張力作用線上に設けた誘導部１０Ｂが、張力をマスク上辺７とマスク左右側辺８に分配又は誘導し顔面を加圧して摩擦力を発生し、鼻口覆い部の密着性及び固定力を高める。一方、耳掛け部下側接合部付近又は下顎下端縁４又は該張力作用線上又は其の付近に設けた、分配部１０Ａ又は誘導部１０Ｂは、該張力を下顎凹部３当接部位とマスク下辺９に分配又は誘導する。又、分散分割部１０Ｃは下顎下端６及び其の付近を包含し挟み込んで、張力を該分散分割部１０Ｃの上端と下端に分割し平行移行する。分散分割部１０Ｃの上端に移行した張力に依って、下顎凹部３当接部位及び其の付近で加圧力及び摩擦力が発生して、下顎凹部３及び其の付近に引っ掛かり加圧摩擦固定し、下側に移行した張力に依ってマスク下辺９及び其の付近が、下顎下端縁裏側５に加圧固定して下顎１を挟み込み又は、該伸縮作用に依って下顎１に固定する。【００３４】下顎下端縁４及び其の付近に沿って横方向に設けた、誘導部１０Ｂは張力を該切り目１０Ｂの上下辺に誘導し、分配部１０Ａ又は分散分割部１０Ｃの作用を補強する。分散分割部１０Ｃで二分割された張力の一線状に復帰する作用が、下顎１を挟み込む作用を補強する。【００３５】マスク本体は、下顎１に密着固定された下顎覆い部と鼻口覆い部が一体構成されている為、顔面に固定された事に成り、上下方向のずれ現象を防止する方法及び手段。【００３６】尚、実施に於いては上記に限定するものでは無く、切り目を穴等に変更する事も任意で有る。上記分配部１０Ａ及び誘導部１０Ｂの長さ及び本数、設置方向及び位置に依って下顎１の固定を完結する事も可能で有り、上記各部の単設も併設も任意可能である。又該切り目等及び其の付近に拡張性又は弾力性を有する不織布等を付設等すると、該切り目の開口時の皮膚露出を防ぎ美観に良い。【００３７】前記及び上記効果を以て、前記に挙げた多種多様多数の効果が得られ、ずれ現象に起因する不快感等や不都合等を一掃、解消する事が可能である。
【実施例３】
【００３８】請求項３に於いては（図４）マスク本体の左右耳掛け部左右上側接合部又は其の付近から誘導部１１を、２０ｍｍ乃至６０ｍｍ程度の長さでマスク上辺７とマスク左右側辺８の三辺に設ける。又は耳掛け部左右下側接合部又は其の付近から誘導加圧部２０Ａを、２０ｍｍ乃至１００ｍｍ程度の長さで下顎凹部３当接部位に、誘導部１１をマスク下辺９に設ける（図４のイ１）。又は該保形材等のＴ字形状片１２Ａ又はＵ字形状片又はくの字形状片１２Ｂの、左右一対開口部を内向きに下顎下端縁４を跨ぎ配置し、Ｔ字形状片１２Ａ（図４のイ２）の上部又は、Ｕ字形状片又はくの字形状片１２Ｂ（図４のイ３）の開口部上側を下顎凹部３当接部位及び其の付近に、下部又は下側をマスク下辺９付近に配置し下顎覆い部に固定する。又はマスク本体に既設された下顎凹部に最寄り位置のプリーツ２１に両端より中央方向へ、長さ１０ｍｍ乃至９０ｍｍ程の重層状態又は開閉不可と成る固定部２０Ｃを点線状等に設ける（図４のイ４）。又は下顎覆い部内側に下顎凹部３及び其の付近を加圧し得る、帯状等の拡張性又は伸縮性を有する不織布等１５Ｂを横設する（図４のロ）。【００３９】マスク使用時（図５）、左右上側誘導部１１は、耳掛け部上側の張力はマスク上辺７とマスク左右側辺８に誘導して、鼻口覆い部の密着性及び固定力を高める。左右下側の誘導部１１又は誘導加圧部２０Ａは、耳掛け部下側の張力を誘導して該二部で下顎１を挟み込み、下顎凹部３当接部位に設けた誘導加圧部２０Ａが下顎凹部３及び其の付近に加圧し密着固定し、マスク下辺９付近に設けた誘導部１１が下顎下端縁裏側５に加圧固定する（図５のイ１）。又はプリーツの重層常態又は開閉不可にする固定部２０Ｃで周囲より硬質化したプリーツ部位は、下顎凹部３及び其の付近を加圧して該凹部３に留まり、下顎覆い部を下顎１に固定する（図５のイ４）。上記該形状片１２Ａ又は１２Ｂの上下部位を指で抑えて、下顎下端縁４を跨ぎ下顎を挟み込む。Ｔ字形状片１２Ａ、Ｕ字形状片及びくの字形状片１２Ｂの、上部は下顎凹部３当接部位及び其の付近を加圧して下顎凹部３及び其の付近に留めて固定し、下部はマスク下辺９及び其の付近を下顎下端縁裏側５に固定する、依って下顎覆い部は下顎１に固定する（図５のイ２又はイ３）。一方、マスク本体内側に横設した帯状等の拡張性又は伸縮性を有する不織布等１５Ｂは、下顎凹部３及び其の付近に加圧して下顎凹部３及び其の付近に固定されて留まり、下顎覆い部は下顎１に固定される（図５のロ）。【００４０】尚、誘導加圧部２０Ａを下顎凹部３当接部位のみに設けても下顎覆い部を固定し得る。上記誘導部１１又は誘導加圧部２０Ａに類似形状の不織布等を重設し固定すると作用及び効果が増大する。プリーツの該固定部２０Ｃの設定位置及び範囲、形状は任意可能で有る。又該固定部２０Ｃを他のプリーツの側等に施すと当接する頬面の加圧力及び当接面積が増し鼻口覆い部の固定力が高まる。下顎当接部位に下顎凹部３に加圧し得る帯状等の弾性体等を横設する。又は上記Ｔ字形状片を該固定位置の中央付近に一片設ける。又はＵ字形状片１２Ｂのマスク下辺９側を一線状に変更して扁平楕円形状片にする。又はＴ字形状片の上部を削除したＩ字形状片に変更しても固定効果が得られる。又、上記くの字形状片の下部を削除した、ハの字形状片１２Ｃ（図４のイ５及び図５のイ５）に変更しても、下顎凹部３の加圧摩擦固定効果が得られる。誘導部１１又は誘導加圧部２０Ａをマスク本体装着後に粘着テープ等や接着剤等を使用して、マスク装着後に貼着する方法も可能である。上記誘導部１１及び誘導加圧部２０Ａの長さ及び幅、設置位置等は任意可能である。
【実施例４】
【００４１】請求項４に於いては（図６のイ又はロ）、マスク本体下顎覆い部の、マスク下辺９縁から７ｍｍ乃至５０ｍｍ程度の上位置を折り目として横方向へ内側に折り返し１３（以後、ポケット部１３と記す。）て、マスク本体両側又は其の付近で点線状又は線状に溶着固定し、耳掛け部下側端をポケット部１３の溶着固定部位又は其の付近に夫々接合する。【００４２】マスク使用時に於いては（図７のイ又はロ）、該ポケット部１３内へ下顎下端６及び其の付近を収容し装着する。マスク下辺９はポケット部１３の裏側の最上位置に有る為に下顎下端縁裏側５に位置する。ポケット部１３に包含された下顎下端６及び其の付近が、耳掛け部からの一線状の張力を下顎凹部３当接部位及び其の付近とマスク下辺９に分割して、マスク下辺９は下顎下端縁裏側５に加圧密着固定し、下顎凹部３当接部位は下顎凹部３及び其の付近を加圧して加圧密着固定する。結果、下顎覆い部は下顎１に固定される。【００４３】尚、ポケット部１３の両側の溶着部を、粘着剤又は粘着テープ等に依って貼着すると使用者が好みの深さに創れる。又、ポケット部１３を外側に折り返して設けると、両端付近が重層状に成り硬質化して、誘導加圧部２０Ａの作用及び効果を生み出す。（図６のロ）に於いては、ポケット部１３の上部及び其の付近を縮小すると下顎凹部３の加圧固定力が増す。
【実施例５】
【００４４】請求項５に於いては（図８）、プリーツ式マスクの下顎覆い部（図８のイ）、又は立体式マスクの下顎凹部３当接部位（図８のロ）に横方向又は横方向の扁平扇状等の、上向き又は下向きのプリーツ（襞）１４（以後、プリーツ部１４と記す。）を設ける。横方向の該プリーツ部１４の両側又は其の付近で点線状又は線状等に溶着固定し、プリーツ部１４の溶着固定部位又は其の付近に耳掛け部下側端を接合する。【００４５】マスク使用時（図９）、プリーツ式マスクではプリーツ部１４を広げて下顎下端６及び其のマスク使用時（図９）、プリーツ式マスクではプリーツ部１４を広げて下顎下端６及び其の付近を収容し装着する（図９のイ）。下顎下端６及び其の付近は下顎凹部３当接部位及び其の付近とマスク下辺９に包含され挟み込まれ、耳掛け部下側の張力は該二部位に分割され、下顎凹部３当接部位は下顎凹部３に加圧固定し、マスク下辺９は下顎下端縁裏側５に加圧固定して、プリーツ部１４は下顎１に固定される。該プリーツ部１４の端及び下顎凹部３付近迄が重なり硬質に成る為、下顎凹部３の誘導加圧部としても作用する。一方、立体式マスク（図９のロ）は、マスク装着時に該プリーツ部１４が開いて、下顎凹部３及び其の付近を加圧して下顎凹部３に固定される。結果、下顎覆い部が下顎１に固定される。
【実施例６】
【００４６】請求項６に於いては（図１０）、下顎下端縁４当接部に下顎下端６及び其の付近を包含し得る、拡張性又は凹形状等の型押し加工等１５Ａを設ける（図１０のイ１又はロ１）。又はマスク下顎覆い部に少なくとも下顎下端６当接部位及び其の付近に拡張性又は伸縮性を有する不織布等１５Ｂを用いて（図１０のイ２又はロ２）、鼻口覆い部の下辺又は下顎覆い部の下辺と不織布等１５Ｂの上辺を、点線状又は線状に溶着固定１６し鼻口覆い部と一体にして、左右一対の耳掛け部下側を両下隅付近に夫々接合する。【００４７】マスク使用時（図１１）、該型押し加工等１５Ａ（図１１のイ１又はロ１）又は拡張性又は伸縮性を有する不織布等１５Ｂ（図１１のイ２又はロ２）は当接した下顎下端縁４及び其の付近に依って、拡張され下顎下端６及び其の付近を包含する。耳掛け部下側の張力は下顎下端６及び其の付近に依って、下顎凹部３当接部位及び其の付近とマスク下辺９に分割され、下顎１を挟み込み加圧力及び摩擦に依って下顎１に固定する。結果、下顎覆い部は下顎１に固定される。【００４８】尚、上記型押し加工等１５Ａの部位を切除し、下顎下端６及び其の付近を包含し得る袋状等の不織布等を、切除部位に嵌めて周囲と線状等に溶着固定する事も有効である。又は該型押し加工等１５Ａの部位を切除すると、分散分割部１０Ｃの作用及び効果が得られ下顎１に固定される。不織布等１５Ｂは網目形状等に変更も可能であり上記作用及び効果が得られれば、どの様な形状も任意である。
【実施例７】
【００４９】請求項７に於いては（図１２）、マスク本体と耳掛け部上側又は下側の接合部の間にＶ字形状又は、Ｕ字形状の不織布又は弾力性材又は可塑性保形材等の分配用片１８を左右一対内向きに対面して介設する（図１２のイ１）。又は耳掛け部左右の上側又は下側を二股（１７Ａ又は１７Ｂ）にする（図１２のイ２又はロ１）。又は耳掛け部を左右夫々二本併設する。該分配用片１８のＶ字形状の鋭角部位又はＵ字形状の円孤部位に耳掛け部上側端又は下側端を接合又は連結する。上側の該分配用片１８の開口部又は上側の耳掛け部の二股１７Ａ又は該二本の上側の、一端をマスク上辺７端付近に、他端を左右マスク側辺８の上部付近に、下側の該分配用片１８の開口部又は下側の該二股１７Ｂ又は該二本の下側の、一端を下顎凹部３当接部位側端付近に、他端をマスク下辺９側端付近に夫々接合する。又は幅広の不織布製耳掛け部に於いては、マスク本体との接合部位及び其の付近に上記各部位に、張力を分配し得る縦方向の分配部１０Ａを上下左右対称に設けて（図１２のロ２）、二股（１７Ａ又は１７Ｂ）又は分配用片１８の作用及び効果を得る。【００５０】マスク使用時（図１３のイ１又はロ１又はイ２又はロ２）は、耳掛け部上側又は下側からの張力は、該分配用片１８又は該二股（１７Ａ又は１７Ｂ）又は、該二本又は分配部１０Ａの上下端に分配される。該上側ではマスク上辺７と左右のマスク側辺８に分配されて、該三辺が当接する顔面の部位を加圧密着して鼻口覆い部の密着性及び固定力を高める。該下側の張力は下顎凹部３当接部位とマスク下辺９に分配され、下顎凹部３当接部位が下顎凹部３及び其の付近に加圧し引っ掛かり摩擦力を発生させ加圧密着固定し、マスク下辺９を強い張力で引き下顎下端縁裏側５に加圧密着固定して下顎を包含して挟み込み固定する。結果、下顎覆い部が下顎１に固定される。
【実施例８】
【００５１】請求項８に於いては（図１４のイ又はロ）、マスク本体装着時の下顎下端縁４及び其の付近の肌当接面に、薄膜等の摩擦抵抗材等（ゴム等）１９又は薄い線状等の摩擦抵抗材等を貼着又は塗布する。【００５２】マスク使用時（図１５のイ又はロ）は、耳掛け部下側からの張力が下顎下端縁４当接部位及び其の付近に作用して、下顎下端４及び其の付近を加圧する為に、該摩擦抵抗材等（ゴム等）１９等と皮膚面に摩擦力を発生させて滑りを止め、下顎下端４当接部位及び其の付近が下顎下端４及び其の付近に摩擦固定する。結果、下顎覆い部が下顎１に固定される。【００５３】尚、該摩擦抵抗材等（ゴム等）１９等の設置位置は上記以外の肌面の当接部位でも摩擦固定力は有効で有り任意可能である。該摩擦抵抗材等（ゴム等）１９等の材質及び大きさ、数、形状も任意可能であり、複数部位に設けると摩擦固定の効果を向上させる。又、上記各請求項の下顎１当接部位及び其の付近又は顔面の肌当接部位に併設するとマスクの固定効果を極めて賢固にする。該摩擦抵抗材等（ゴム等）１９等は加圧力で摩擦力を発生させ皮膚面に摩擦固定する方法であり、粘着剤等の皮膚への刺激が無く負担も少ない。又使用時の貼着不快感や脱着時の貼着剥離不快感も無い。該摩擦抵抗材等（ゴム等）１９の皮膚当接面の形状を点状等又は線状等にすると摩擦力が増すと共に皮膚当接感を軽減出来る。
【産業上の利用可能性】
【００５４】本発明は、低コストで使用時にマスク本体が上下方向にずれる現象を防止する方法及び手段として利用可能である。
【付号の説明】
１  下顎（下顎骨部位全体）
２  下顎前面（正面から見える下唇下端より下側全体）
３  下顎凹部
４  下顎下端縁
５  下顎下端縁裏側
６  下顎下端
７  マスク上辺
８  マスク側辺
９  マスク下辺
１０  表裏貫通する切り目（１０Ａ）分配部  （１０Ｂ）誘導部  （１０Ｃ）分散分割部
１１  誘導部（溶融固化部又は線状等の可塑性保形材等）
１２  可塑性保形材等  （１２Ａ）Ｔ字形状片  （１２Ｂ）Ｕ字形状片又は、くの字形状                        片  （１２Ｃ）ハの字形状片
１３  下顎覆い部の折り返し（ポケット部）
１４  下顎覆い部のプリーツ（プリーツ部）
１５  （１５Ａ）型押し加工等  （１５Ｂ）拡張性又は伸縮性等を有する不織布等
１６  点線状又は線状の溶着固定部
１７  耳掛け部（１７Ａ）二股の上側  （１７Ｂ）二股の下側
１８  分配用片（不織布等又は保形材等）
１９  薄膜等の摩擦抵抗材等（ゴム等）
２０  誘導加圧部  （２０Ａ）溶融固化部、又は帯状等又は線状等の可塑性保形材等
（２０Ｃ）一部分又は全部分を重層状態又は開閉不可にする固定部
２１  マスク本体に設けられた既存の下側のプリーツ
【図１】
2013233400.tif 000003
【図２】
2013233400.tif 000004
【図３】
2013233400.tif 000005
【図４】
2013233400.tif 000006
【図５】
2013233400.tif 000007
【図６】
2013233400.tif 000008
【図７】
2013233400.tif 000009
【図８】
2013233400.tif 000010
【図９】
2013233400.tif 000011
【図１０】
2013233400.tif 000012
【図１１】
2013233400.tif 000013
【図１２】
2013233400.tif 000014
【図１３】
2013233400.tif 000015
【図１４】
2013233400.tif 000016
【図１５】
2013233400.tif 000017